【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
コンピューターによって実施される方法であって、
１つ以上の計算機によって、ユーザーのユーザーＩＤに結びつけられたディジタル・ライセンスから、前記ディジタル・ライセンスと関連付けられた関係者を特定するステップであって、前記ディジタル・ライセンスがソフトウェア製品に対する１組の権利を特定し、かつ前記ユーザーＩＤを含むディジタル的に署名されたトークンを介して前記ユーザーＩＤに結びつけられた、ステップと、
前記１つ以上の計算機によって、前記ディジタル・ライセンスと関連付けられた追加販売をいつ行うか決定するステップであって、前記追加販売は、前記関係者とは異なった第２に関係者からの、前記ソフトウェア製品ではない製品またはサービスの販売を含む、ステップと、
前記１つ以上の計算機によって、前記関係者が前記追加販売と関連して認識されたことの指示を発生するステップと、
を含む、方法。
【請求項２】
請求項１記載の方法であって、更に、
ユーザーに、追加の製品またはサービスの購入のための提案を伝えるステップを含み、
前記決定するステップが、ユーザーが前記提案を受け入れたときに、前記ディジタル・ライセンスと関連付けられた前記追加販売を行うことを決定するステップを含む、方法。
【請求項３】
請求項２記載の方法において、前記伝えるステップは、前記ディジタル・ライセンスの前記ユーザーが使用するデバイスからの要求に応答して、前記ユーザーに前記提案を伝えることを含む、方法。
【請求項４】
請求項１記載の方法において、前記ディジタル・ライセンスと関連付けられた関係者が、前記ソフトウェア製品の販売業者を含む、方法。
【請求項５】
請求項４記載の方法において、前記ディジタル・ライセンスが、前記ユーザーＩＤと、前記ソフトウェア製品の販売業者の識別子との双方を含む、方法。
【請求項６】
請求項１記載の方法において、前記ディジタル・ライセンスと関連付けられた前記関係者が、前記ソフトウェア製品と共にデバイスを流通させる相手先ブランド製造業者を含む、方法。
【請求項７】
請求項６記載の方法において、前記ディジタル・ライセンスが、前記ユーザーＩＤと、前記相手先ブランド製造業者の識別子との双方を含む、方法。
【請求項８】
請求項６記載の方法において、前記ディジタル・ライセンスが、前記ユーザーＩＤと、前記ソフトウェア製品を有効化するためにデバイスによって用いられた製品キーとの双方を含む、方法。
【請求項９】
請求項１記載の方法において、前記追加販売は、前記ソフトウェア製品を走らせているデバイスが使用できる周辺デバイスの販売である、方法。
【請求項１０】
請求項１記載の方法において、前記追加販売は、前記ソフトウェア製品に関連付けられた追加のソフトウェア製品の販売である、方法。
【請求項１１】
請求項１記載の方法において、前記ユーザーＩＤを前記ディジタル・ライセンスに含ませることによって、前記ディジタル・ライセンスが前記ユーザーＩＤに結びつけられ、前記ディジタル・ライセンスが、更に、前記ソフトウェア製品の製造業者の識別子を含み、前記関係者が前記ソフトウェア製品の前記製造業者を含む、方法。
【請求項１２】
請求項１記載の方法であって、更に、更新の時点において、ユーザーが前記ユーザーＩＤを用いてオンライン・サービスにログインしているか否かには関係なく、ユーザーに代わって前記ディジタル・ライセンスを自動的に更新するステップを含む、方法。
【請求項１３】
コンピューター読み取り可能命令を具体化した１つ以上のコンピューター記憶媒体であって、前記コンピューター読み取り可能命令が、１つ以上の計算機で実行されると方法を実施し、該方法が、
１つ以上の計算機によって、特定の計算機に結びつけられたのではなくユーザーのユーザーＩＤに結びつけられたディジタル・ライセンスから、前記ディジタル・ライセンスと関連付けられた関係者を特定するステップであって、前記ディジタル・ライセンスがソフトウェア製品に対する１組の権利を特定し、かつ前記ユーザーＩＤを含むディジタル的に署名されたトークンを介して前記ユーザーＩＤに結びつけられた、ステップと、
前記１つ以上の計算機によって、前記ディジタル・ライセンスと関連付けられた追加販売をいつ行うか決定するステップであって、前記追加販売は、前記関係者とは異なった第２の関係者からの、前記ソフトウェア製品ではない製品またはサービスの販売を含む、ステップと、
前記１つ以上の計算機によって、前記関係者が前記追加販売と関連して認識されたことの指示を発生するステップと、
を含む、１つ以上のコンピューター記憶媒体。
【請求項１４】
請求項１３記載の１つ以上のコンピューター記憶媒体であって、前記方法は、更に、
ユーザーに、追加の製品またはサービスの購入のための提案を、前記１つ以上の計算機を使用して伝えるステップを含み、
前記決定するステップが、ユーザーが前記提案を受け入れたときに、前記ディジタル・ライセンスと関連付けられた前記追加販売を行うことを決定するステップを含む、１つ以上のコンピューター記憶媒体。
【請求項１５】
請求項１４記載の１つ以上のコンピューター記憶媒体において、前記伝えるステップは、前記ディジタル・ライセンスの前記ユーザーが使用するデバイスからの要求に応答して、前記ユーザーに前記提案を伝えることを含む、１つ以上のコンピューター記憶媒体。
【請求項１６】
請求項１３記載の１つ以上のコンピューター記憶媒体において、前記ディジタル・ライセンスと関連付けられた前記関係者が、前記ソフトウェア製品の販売業者を含む、１つ以上のコンピューター記憶媒体。
【請求項１７】
システムであって、
１つ以上のプロセッサーと、
コンピューター読み取り可能命令を具体化した１つ以上のコンピューター記憶媒体であって、前記コンピューター読み取り可能命令が、１つ以上のプロセッサの影響の下で実行されると方法を実施し、該方法が、
特定の計算機に結びつけられたのではなくユーザーのユーザーＩＤに結びつけられたディジタル・ライセンスから、前記ディジタル・ライセンスと関連付けられた関係者を特定するステップであって、前記ディジタル・ライセンスがソフトウェア製品に対する１組の権利を特定し、前記ディジタル・ライセンスが前記ユーザーＩＤを含むディジタル的に署名されたトークンを介して前記ユーザーＩＤに結びつけられ、前記１組の権利が、前記ソフトウェア製品のどれぐらいの数のコピーが異なったデバイスで同時に実行できるかの指示を含む、ステップと、
前記ディジタル・ライセンスと関連付けられた追加販売をいつ行うか決定するステップであって、前記追加販売は、前記関係者とは異なった第２の関係者からの、前記ソフトウェア製品ではない製品またはサービスの販売を含む、ステップと、
前記関係者が前記追加販売と関連して認識されたことの指示を発生するステップと、
を含む、１つ以上のコンピューター記憶媒体と、
を含むシステム。
【請求項１８】
請求項１７記載のシステムであって、前記方法は、更に、
ユーザーに、追加の製品またはサービスの購入のための提案を伝えるステップを含み、
前記決定するステップが、ユーザーが前記提案を受け入れたときに、前記ディジタル・ライセンスと関連付けられた前記追加販売を行うことを決定するステップを含む、システム。
【請求項１９】
請求項１８記載のシステムにおいて、前記伝えるステップは、前記ディジタル・ライセンスの前記ユーザーが使用するデバイスからの要求に応答して、前記ユーザーに前記提案を伝えることを含む、システム。
【請求項２０】
請求項１７記載のシステムにおいて、前記ディジタル・ライセンスと関連付けられた前記関係者が、前記ソフトウェア製品の販売業者を含む、システム。